(57)【要約】      （修正有）【課題】溶解炉に鋳塊を投入する場合に起きる、やけどや挟まれを防止し、鋳塊のような不特定の形状で重量のものであっても滑り落ちる恐れがなく安定して持ち運びができ炉に投入することができる把持具を提供する。【解決手段】炉に鋳塊を投入する際に用いる把持具において、柄の部分の一方２−１に回転可能な頭部が輪状のボルト４を取付け、もう一方２−２に鉤付き形状部および取っ手部を有したボルト５を取付け、輪状の頭部と鉤付き形状部との間にチェーン６を取付け、輪状の頭部と鉤付き形状部との間のチェーン６の長さを鋳塊の大きさに合わせて調節することができる。【選択図】図２
0003198083.tif 000002
【実用新案登録請求の範囲】
【請求項１】
炉に鋳塊を投入する際に用いる把持具において、柄の部分の一方に回転可能な頭部が輪状のボルトもう一方に鉤付き形状部および取っ手部を有したボルトを取付けチェーンの長さを鋳塊の大きさに合わせて、調節することができる鋳塊把持具。
【請求項２】
炉に鋳塊を投入する際に用いる把持具において、把持部の両側に把持部が平面で、スイベル構造の先端部を有したボルトを取付け常に把持物の重心が下方向にかかることを特徴とする鋳塊把持具。
【考案の詳細な説明】
【考案の詳細な説明】
【技術分野】
【０００１】  本考案は、鋳造に際して鋳塊を溶解するため溶解炉に鋳塊を投入する場合に用いる鋳塊把持具に関するものである。
【背景技術】
【０００２】  溶解炉に鋳塊を投入する方法としては従来、手で鋳塊を持ち、炉の鋳塊投入口から炉の奥に手を差し入れて投入をしていた。この際、予熱して高温になった鋳塊を手で掴み炉内に手を入れる工程が発生していた。
また、図１のような把持具を使用し鋳塊を把持し溶解炉に投入していた。【０００３】  従来方法における作業上の問題として、溶解炉に設けられた鋳塊の投入口が非常に狭いため、炉壁など高温部に手が触れてやけどをする恐れや、鋳塊を手で掴んで投入するため鋳塊の間に手を挟んでしまう恐れがあり安全上の問題があった。
把持具を使用する場合は鋳塊の間に手を挟んでしまう恐れはないが、把持具の柄が短く鋳塊投入口に手を差し入れる必要があるため、やけどの恐れがあった。また、把持部が滑って把持していた鋳塊が落下して怪我をする恐れがあった。また、鋳塊はそれぞれサイズが異なる場合があるが従来の把持具だと任意のサイズに対応した固定が困難であり、サイズに応じた把持具を用いる必要があった。【０００４】  前記問題を解決するために、厚さが異なる平板状の対象物を把持する際に挟持部間の幅を調節する必要がなく、楔状などの非平板状の対象物でも安定して把持することができる把持用手動工具が発明されている。（特許文献１）【０００５】  しかしながら前記発明は、挟持部の可動面が一方のみで回転軸も１箇所のみである。従って、挟持物の重心は持ち方により異なり落下させてしまう危険性があった。また、挟持部は平であるため平板状のもの以外の挟持は困難であった。また、自力のみで挟持物を固定しなければならないので挟持物が滑り落ちる恐れがあった。
【先行技術文献】
【０００６】
【特許文献１】特開２０１１−５１０４１号公報
【考案の概要】
【考案が解決しようとする課題】
【０００３】  本発明が解決しようとする課題は、鋳塊のような不特定の形状で重量のものであっても滑り落ちる恐れがなく安定して安全に持ち運びができ炉に投入することができる把持具を提供することが目的である。
【課題を解決するための手段】
【０００７】  前記目的を達成するために本発明では、これまで図１に示すような把持具を用いていたが、炉壁など高温部に手が触れてやけどする恐れや、鋳塊を手で掴んで投入するため、鋳塊の間に手を挟んでしまう恐れ、把持力が十分に得られず落下する恐れがあったため次のような機構を取り入れた。
まず、把持部から把持具の柄の部分まで鋳塊と手もしくは炉壁と手が触れることがないよう十分な距離を保つために柄の部分を長くした。また、柄の部分には一方は回転可能な頭部が輪状のボルトを、もう一方は鉤付き形状部および取っ手部を有したボルトを取付け、更に回転可能な頭部が輪状のボルトおよび鉤付き形状部および取っ手部を有したボルトの鉤部にチェーンを取付けた。なお、鉤付き形状部および取っ手部を有したボルトはネジ式で長さの調節が可能である。また、把持具の把持部の両側に把持部が平面で、スイベル構造の先端部を有したボルトなど３６０°回転可能なものを用い、把持対象物の側面に対し常に面がついて安定させることができるものを取付けた。これらにより上記課題を解決した。
【考案の効果】
【０００８】  本考案の鋳塊把持具では、以下の効果が得られる。
把持具は、柄を長くしたことにより鋳塊投入口に手を差し入れる必要がなくなったため高温の鋳塊や炉壁に手が触れる恐れがなくなりやけどする恐れがなくなった。柄が長いので炉内に鋳塊を投入する際に鋳塊と鋳塊の間に手が挟まれる恐れもなくなった。
また、柄の一方に回転可能な頭部が輪状のボルトを、もう一方に鉤付き形状部および取っ手部を有したボルトを取付け、更に回転可能な頭部が輪状のボルトおよび、鉤付き形状部および取っ手部を有したボルトの鉤部にチェーンを取付けることで、鉤部のチェーンは容易に取外し可能である。また、鋳塊を把持する際の把持力をチェーンと鉤付き形状部および取っ手を有したボルトで十分に力が加わる幅、すなわち鋳塊の幅と同等の幅に調整し把持力を小さくすることができるため、鋳塊を持ち上げる際の人間の負担も軽減できる。その際、チェーンの輪の幅に限らず付き形状部および取っ手部を有したボルトはネジ式で長さの調節が可能であるため鋳塊のサイズに関わらず把持することができる。更に、鉤部を回転させても他方は回転可能な頭部が輪状のボルトを用いているため締付けてもチェーンの巻込みが起こることがないのでスムーズにチェーンの長さの調整ができる。
把持部の両面に把持部が平面で、スイベル構造の先端部を有したボルトを取付けることで、鋳塊の側面に対し常に面がついて安定させることができるだけでなく、スイベル構造であるため常に把持物の重心が下方向にかかるため炉に鋳塊を投入することが容易になった。
【図面の簡単な説明】
【０００９】
【図１】従来の把持具を示した正面図である。
【図２】実施例に記載の把持具の全体の概略を示した正面図である。
【図３】図２における柄の部分を拡大した正面図である。
【図４】図２における把持部を拡大した正面図である。
【考案を実施するための形態】
【００１０】  図２は実施例記載の本考案把持具の正面図、図３は本考案把持具の柄の部分を拡大した正面図、図４は本考案把持具の把持部を拡大した正面図である。
【実施例】
【００１１】  図２、図３、図４に示している本考案の把持具では、
把持部１から把持具の柄２の部分まで鋳塊と手もしくは炉壁と手が触れることがないよう十分な距離を保つために柄２の部分を長くした。従来使用していた把持具の柄２の長さは交差軸３から２５ｃｍほどであり、本考案の治具では従来の倍以上の長さの５０ｃｍ以上の長さを持たせている。
また、一方の柄２−１には回転アイボルト４を、もう一方の柄２−２には回転可能なフックボルト５をいずれも柄の部分にボール盤で穴をあけた後に取付け、更にアイボルトおよびフックにチェーン６を取付けた。なお、フックはネジ式で長さの調節が可能であるため鋳塊７のサイズに応じてチェーンの長さを変更することができる。
また、把持部１の両面にスイベルヘッド付きボルト８を取付けることで、鋳塊７の側面に対し常に面がついて安定できる状態とする。更にスイベルヘッド付きで回転可能であるため常に鋳塊７の重心が下方向に向けるようにした。
【産業上の利用可能性】
【００１２】  鋳造に際し鋳塊を溶解するため溶解炉に鋳塊を投入する場合に用いる鋳塊把持具に関するものである。これまで、予熱した鋳塊を手または従来把持具で把持し炉に投入していたため炉壁などでやけどや、鋳塊と鋳塊の間に挟まれる危険性などがあったが本考案の把持具は、柄を長くすることでやけどや挟まれの危険性の回避が可能となり、更に柄にチェーンを取付けることで鋳塊のサイズに関わらず把持できたり、把持部にスイベルヘッド付きボルトを用いることで常に把持物の重心が下方向にかかるため炉に鋳塊を投入することが容易になった。
【符号の説明】
【００１３】１    把持部
２    把持具の柄
２−１  一方の把持具の柄
２−２  もう一方の把持具の柄
３    交差軸
４    回転可能な頭部が輪状のボルト
５    鉤付き形状部および取っ手部を有したボルト
６    チェーン
７    鋳塊
８    把持部が平面で、スイベル構造の先端部を有したボルト
【図１】
0003198083.tif 000003
【図２】
0003198083.tif 000004
【図３】
0003198083.tif 000005
【図４】
0003198083.tif 000006
【手続補正書】
【提出日】平成27年3月27日(2015.3.27)
【手続補正１】
【補正対象書類名】実用新案登録請求の範囲
【補正対象項目名】全文
【補正方法】変更
【補正の内容】
【実用新案登録請求の範囲】
【請求項１】
炉に鋳塊を投入する際に用いる把持具において、柄の部分の一方に回転可能な頭部が輪状のボルトを取付け、もう一方に鉤付き形状部および取っ手部を有したボルトを取付け、輪状の頭部と鉤付き形状部との間にチェーンを取付け、輪状の頭部と鉤付き形状部との間のチェーンの長さを鋳塊の大きさに合わせて調節することができる鋳塊把持具。
【請求項２】
炉に鋳塊を投入する際に用いる把持具において、把持部の両側に把持部が平面で、スイベル構造の先端部を有したボルトを取付け常に把持物の重心が下方向にかかることを特徴とする鋳塊把持具。